(57)【特許請求の範囲】
【請求項１】
ハンガーの横架部の任意の位置に装着できて、ズボンやスカート等の被挾持物を挾圧支持できるようにしたハンガー用挾持具であって、適宜合成樹脂製の挾持具本体と、この挾持具本体に設けた収容空間に揺動自在に装着される適宜合成樹脂製の揺動レバーとを備え、挾持具本体は、一対の挾持板を弾性変形可能な一対の連結片を介して一体的に連設し、一対の挾持板の基端縁部分にハンガーの横架部に係止される一組の係止爪片を延設し、一方の挾持板の基端寄り部分に設けた係止凸部と、他方の挾持板の基端寄り部分に設けた係止凹部とを係止せしめるように連結片を弾性的に湾曲せしめて構成され、揺動レバーは、手指によって揺動操作される操作部と、この操作部に一体的に連設されると共に、一対の挾持板の収容空間部分に収まる開閉規制部とを備え、開閉規制部の側面に規制凹部を凹設して構成され、この揺動レバーの倒伏揺動操作により、規制凹部の規制内周壁面で、一対の挾持板の収容空間部分に夫々突設した規制突起を相互に接近するように圧迫して、一対の挾持板の先端縁部分で挾持状態が得られるように形成すると共に、一組の係止爪片によって横架部を幅方向に挾めるように形成したことを特徴とするハンガー用挾持具。
【請求項２】
開閉規制部の外周面部分に圧迫隆起部を形成し、揺動レバーの倒伏揺動操作により、圧迫隆起部で横架部を圧迫できるよう構成したことを特徴とする請求項１記載のハンガー用挾持具。
【請求項３】
開閉規制部の外周面部分に係止隆起部を形成し、揺動レバーの倒伏揺動操作により、係止隆起部が横架部に係止されるよう構成したことを特徴とする請求項１記載のハンガー用挾持具。
【発明の詳細な説明】
【０００１】
【発明の属する技術分野】
本発明は、主に、適宜合成樹脂材（或いは、適宜金属材、或いは、適宜複合材、或いは、これらの適宜組合せ）等によって構成されるようなハンガーに設けられる横架部に、着脱自在に装着せしめられると共に、任意の位置に装着できて、ズボンやスカート等の被挾持物を挾圧支持できるようにした適宜合成樹脂製のハンガー用挾持具に関するものである。
【０００２】
【従来の技術】
従来、この種のハンガー用挾持具としては、種々のものが提供されている。例えば、略洗濯ばさみ状のクリップが形成され、このクリップをハンガーの桟材部分（横架部）左右に装着し、このクリップでズボンやスカート等を支持できるように構成してある。そして、このクリップは、その中央部分がハンガーの桟材部分（横架部）に装着され、手指で摘む部分が桟材部分上方に配されたものが数多く提供されている。
【０００３】
【発明が解決しようとする課題】
ところが、従来のハンガー用挾持具にあっては、ハンガーの桟材部分（横架部）への装着が面倒であったり、桟材部分（横架部）への取付け位置の変更が簡単に行えなかったり、桟材部分（横架部）への取付け状態が不安定であったり、不意の外力等によってその取付け位置が移動してしまったりする等の難点があった。加えて、クリップを装着していると、桟材部分（横架部）にズボンや、スカート等の被掛止物を掛止できなくなる等の難点もあった。
【０００４】
【課題を解決するための手段】
そこで、本発明は、前述の如き難点等を解消すると共に、操作が容易で、取扱い易く、構成簡素で、確実な動作が期待でき、ハンガー用挾持具として最適なものを提供すべく創出されたもので、請求項１記載のハンガー用挾持具Ａは、ハンガーＢの横架部２０の任意の位置に装着できて、ズボンやスカート等の被挾持物を挾圧支持できるようにしたハンガー用挾持具Ａであって、適宜合成樹脂製の挾持具本体Ａ１と、この挾持具本体Ａ１に設けた収容空間に揺動自在に装着される適宜合成樹脂製の揺動レバーＡ２とを備え、挾持具本体Ａ１は、一対の挾持板１を弾性変形可能な一対の連結片２を介して一体的に連設し、一対の挾持板１の基端縁部分にハンガーＢの横架部２０に係止される一組の係止爪片７，８を延設し、一方の挾持板１の基端寄り部分に設けた係止凸部３と、他方の挾持板１の基端寄り部分に設けた係止凹部４とを係止せしめるように連結片２を弾性的に湾曲せしめて構成され、揺動レバーＡ２は、手指によって揺動操作される操作部１４と、この操作部１４に一体的に連設されると共に、一対の挾持板１の収容空間部分に収まる開閉規制部１０とを備え、開閉規制部１０の側面に規制凹部１１を凹設して構成され、この揺動レバーＡ２の倒伏揺動操作により、規制凹部１１の規制内周壁面１１ａで、一対の挾持板１の収容空間部分に夫々突設した規制突起５，６を相互に接近するように圧迫して、一対の挾持板１の先端縁部分で挾持状態が得られるように形成すると共に、一組の係止爪片７，８によって横架部２０を幅方向に挾めるように形成する手段を採用した。
【０００５】
請求項２記載のハンガー用挾持具Ａは、開閉規制部１０の外周面部分に圧迫隆起部１２を形成し、揺動レバーＡ２の倒伏揺動操作により、圧迫隆起部１２で横架部２０を圧迫できるよう構成する手段を採用した。
【０００６】
請求項３記載のハンガー用挾持具Ａは、開閉規制部１０の外周面部分に係止隆起部１３を形成し、揺動レバーＡ２の倒伏揺動操作により、係止隆起部１３が横架部２０に係止されるよう構成する手段を採用した。
【０００７】
【発明の実施の形態】
以下、本発明を図示例に基づいて説明する。
図中Ａは、適宜合成樹脂製（或いは、その他の材料でも良い）のハンガーＢの横架部２０等の任意の位置に着脱自在に装着できて、ズボンやスカート等の被挾持物を挾圧支持できるようにした本発明のハンガー用挾持具を示し、この挾持具Ａは、適宜合成樹脂製の挾持具本体Ａ１と、この挾持具本体Ａ１の基端がわ中央に設けた収容空間に揺動自在に装着される適宜合成樹脂製の揺動レバーＡ２とからなっている（図２参照）。
【０００８】
そして、挾持具本体Ａ１は、一対の略細長板状の挾持板１を弾性変形可能な一対の連結片２を介して一体的に連設すると共に、略直線状に沿うように形成し、一対の挾持板１の基端縁部分にハンガーＢの横架部２０（或いは、横架部２０に設けた係止溝２１等）に係止される一組の略鈎状の係止爪片７，８を延設し、一方の挾持板１の基端寄り部分に設けた係止凸部３と、他方の挾持板１の基端寄り部分に設けた係止凹部４とを係止せしめるように連結片２部分を弾性的に湾曲せしめて構成されている。すなわち、挾持具本体Ａ１は、連結片２が支点となって先端がわが閉じるように一対の挾持板１が揺動すると共に、一対の挾持板１が基端がわを含めて相互に接近するように構成されている。
【０００９】
更に、揺動レバーＡ２は、手指によって揺動操作される操作部１４と、この操作部１４に一体的に連設されると共に、一対の挾持板１の収容空間部分に収まる略肉厚楕円板状の開閉規制部１０とを備え、開閉規制部１０の左右側面に、略Ｕ溝状の規制凹部１１を夫々凹設して構成されている。
【００１０】
それから、揺動レバーＡ２の倒伏揺動操作により、規制凹部１１の規制内周壁面１１ａの相互に対向している平行面部分で、一対の挾持板１の収容空間部分に夫々突設した規制突起５，６を相互に接近するように圧迫して、一対の挾持板１の先端縁部分で挾持状態が得られるように形成すると共に、一組の係止爪片７，８によって横架部２０を幅方向に挾めるように形成して、挾持具Ａが構成されている（図４、図５、図６参照）。
【００１１】
また、図中１２は、揺動レバーＡ２の開閉規制部１０の外周面部分に形成される圧迫隆起部で、この圧迫隆起部１２は、開閉規制部１０の外周面部分からの距離が漸次長くなるように形成され、揺動レバーＡ２を倒伏揺動せしめたときに、横架部２０下面部分を強力に圧迫できるよう形成されている。すなわち、圧迫隆起部１２と一組の係止爪片７，８とで、横架部２０を上下方向で圧迫し、挾持具Ａが横架部２０に確実に装着されて、不意の外力等によって簡単に移動しないように構成されたものである（図５参照）。尚、圧迫隆起部１２の具体的構成、形状、寸法等は、図示例等に限定されるものではない。
【００１２】
更に、図中１３は、揺動レバーＡ２の開閉規制部１０の外周面部分に形成される一対の係止隆起部で、この一対の係止隆起部１３は、揺動レバーＡ２を倒伏揺動せしめたときに、横架部２０の幅方向の下面端縁部分に夫々係止できるように形成されている。すなわち、一対の係止隆起部１３と一組の係止爪片７，８とで、横架部２０を上下方向で圧迫すると共に、一対の係止隆起部１３が横架部２０の幅方向に於いて係止されて、挾持具Ａの横架部２０への装着状態を確実に維持して、挾持具Ａが不意の外力等によって簡単に移動せず、且つ揺動レバーＡ２が不意の外力等によって簡単に揺動しないように構成されている（図６参照）。尚、係止隆起部１３の具体的構成、形状、寸法、配設位置、数等は、図示例等に限定されるものではない。
【００１３】
挾持板１は、例えば、その先端部分が被挾持物の挾持部分となるように形成され、適宜肉抜等によって軽量化が図られている。尚、挾持板１の具体的構成、形状、寸法、材質等は、図示例等に限定されるものではない。
【００１４】
連結片２は、一対の挾持板１の基端がわ左右端部相互を連結しており、自身が適宜弾性復元力を十分に発揮できるように形成されている。尚、連結片２の具体的構成、形状、寸法、材質、配設位置、数等は、図示例等に限定されるものではない。
【００１５】
係止凸部３と係止凹部４は、一方の挾持板１の基端寄り左右端部と、他方の挾持板１の基端寄り左右端部とに設けられ、係止凸部３は、略山形板状に突設され、係止凹部４は、略Ｖ溝状に凹設され、連結片２部分を弾性的に湾曲せしめたときに、係止凸部３が係止凹部４に入り込み始め、一対の挾持板１が長手方向や幅方向にズレるのを規制できるように設けられたものである。尚、係止凸部３や係止凹部４の具体的構成、形状、寸法、配設位置、数等は、図示例等に限定されるものではない。
【００１６】
規制突起５，６は、例えば、略半円突起状に形成され、一対の挾持板１の収容空間の左右側壁部分に夫々突設されている（図２参照）。そして、規制凹部１１の規制内周壁面１１ａに摺接され、揺動レバーＡ２の揺動支点ともなっている。しかも、揺動レバーＡ２の操作部１４が倒伏状態の時には、一番間隔が短い規制内周壁面１１ａの平行面部分で圧迫され、一対の挾持板１の先端縁部分で挾持状態が得られ、且つ一組の係止爪片７，８によって横架部２０を幅方向に挾むことができるように構成されている。尚、規制突起５，６の具体的構成、形状、寸法、配設位置、数等は、図示例等に限定されるものではない。
【００１７】
係止爪片７は、一方の挾持板１の基端寄り中央端部に突設され、係止爪片８は、他方の挾持板１の基端寄り左右端部に夫々突設され、係止爪片７が、一対の係止爪片８の間に配されるように構成されている。すなわち、係止爪片７，８で、横架部２０（或いは、横架部２０の係止溝２１部分）を幅方向に挟むときにバランス良く挟めるように配慮してあると共に、係止爪片７，８相互が干渉しないように配慮してある。また、図５に示すような係止爪片７，８は、その先端部分が横架部２０の前後面に切設した係止溝２１に入り込むように略鈎状に形成され、図６に示すような係止爪片７，８は、その内側縁部分で横架部２０上面部分を抱持するように略Ｊ字状に形成されている。尚、係止爪片７，８の具体的構成、形状、寸法、配設位置、数等は、図示例等に限定されるものではない。
【００１８】
図中９は、係止爪片７，８に於いて横架部２０との接触部分に配される係止小突起で、この係止小突起９は、横架部２０表面に強力に当接して横架部２０長手方向に於ける挾持具Ａの移動を確実に阻止できるように設けられたもので、この係止小突起９に応じて、横架部２０（或いは、係止溝２１）部分に適宜窪溝や、係止突起や、その他適宜滑り止手段等を施しておいても良い。尚、係止小突起９の具体的構成、形状、寸法、配設位置、数等は、図示例等に限定されるものではない。
【００１９】
開閉規制部１０は、挾持具本体Ａ１の収容空間にその殆どの部分が隠れるように収容されると共に、挾持具本体Ａ１に対して左右方向にあまりガタつくことがないように形成されている。尚、開閉規制部１０の具体的構成、形状、寸法等は、図示例等に限定されるものではない。
【００２０】
規制凹部１１は、挾持具本体Ａ１の規制突起５，６が収容できると共に、その規制内周壁面１１ａで、規制突起５，６を常時圧迫できるように構成されている。また、図中１１ｂは、規制凹部１１内に設けたストッパーで、このストッパー１１ｂは、揺動レバーＡ２を倒伏状態とした時に、規制突起５に当接して、揺動レバーＡ２の開閉規制部１０（圧迫隆起部１２や係止隆起部１３）が横架部２０下面から離れないように揺動レバーＡ２（開閉規制部１０）の挾持板１先端がわへの移動を規制するものである。ところで、揺動レバーＡ２（開閉規制部１０）の挾持板１先端がわへの移動を規制する手段としては、例えば、揺動レバーＡ２を倒伏状態とした時に、開閉規制部１０が挾持具本体Ａ１の収容空間の壁部に当接して、揺動レバーＡ２（開閉規制部１０）の挾持板１先端がわへの移動を規制できるようにしても良いし、或いは、揺動レバーＡ２を倒伏状態とした時に、開閉規制部１０と操作部１４との連結部分が、挾持具本体Ａ１の収容空間周縁部分に設けた突部に係止して、揺動レバーＡ２（開閉規制部１０）の挾持板１先端がわへの移動を規制できるようにしても良いし、その他、適宜手段を採用できるものである。尚、規制凹部１１の具体的構成、形状、寸法、材質、規制内周壁面１１ａの具体的構成、形状、寸法、ストッパー１１ｂの有無、具体的構成、形状、寸法等は、図示例等に限定されるものではない。
【００２１】
操作部１４は、例えば、略矩形板状に形成され、揺動レバーＡ２を倒伏揺動せしめたときに挾持板１に密接するように形成されると共に、その表面には適宜滑り止め手段が施されるている。すなわち、揺動レバーＡ２を倒伏揺動せしめたときに挾持具Ａをコンパクトに構成できると共に、手指による揺動レバーＡ２の揺動操作がより確実に行えるようにしてある。尚、操作部１４の具体的構成、形状、寸法、材質等は、図示例等に限定されるものではない。
【００２２】
ハンガーＢは、横架部２０の幅方向にある前後面に、係止溝２１を長手方向に沿って夫々凹設し、更に、係止溝２１に連通する切欠部２２を横架部２０下部所定位置に夫々設け、挾持具Ａの係止爪片７，８が切欠部２２を通過して横架部２０の係止溝２１の任意の位置に係止可能となるよう構成してある。また、ハンガーＢの横架部２０（或いは、係止溝２１）に、係止小突部２３を長手方向に沿って夫々突設し、挾持具Ａの係止爪片７，８が、係止小突部２３に係止されて横架部２０の長手方向に対して挾持状態の挾持具Ａが移動しないように形成しても良い。尚、ハンガーＢの具体的構成、形状、寸法、材質、横架部２０の具体的構成、形状、寸法、係止溝２１の具体的構成、形状、寸法、配設位置、切欠部２２の有無、具体的構成、形状、寸法、配設位置、数、係止小突部２３の有無、具体的構成、形状、寸法、配設位置、数等は、挾持具Ａに応じて適宜自由に設定できるものである。
【００２３】
【発明の効果】
従って、請求項１記載のハンガー用挾持具Ａは、ハンガーＢの横架部２０の任意の位置に装着できて、ズボンやスカート等の被挾持物を挾圧支持できるようにしたハンガー用挾持具Ａであって、適宜合成樹脂製の挾持具本体Ａ１と、この挾持具本体Ａ１に設けた収容空間に揺動自在に装着される適宜合成樹脂製の揺動レバーＡ２とを備え、挾持具本体Ａ１は、一対の挾持板１を弾性変形可能な一対の連結片２を介して一体的に連設し、一対の挾持板１の基端縁部分にハンガーＢの横架部２０に係止される一組の係止爪片７，８を延設し、一方の挾持板１の基端寄り部分に設けた係止凸部３と、他方の挾持板１の基端寄り部分に設けた係止凹部４とを係止せしめるように連結片２を弾性的に湾曲せしめて構成され、揺動レバーＡ２は、手指によって揺動操作される操作部１４と、この操作部１４に一体的に連設されると共に、一対の挾持板１の収容空間部分に収まる開閉規制部１０とを備え、開閉規制部１０の側面に規制凹部１１を凹設して構成され、この揺動レバーＡ２の倒伏揺動操作により、規制凹部１１の規制内周壁面１１ａで、一対の挾持板１の収容空間部分に夫々突設した規制突起５，６を相互に接近するように圧迫して、一対の挾持板１の先端縁部分で挾持状態が得られるように形成すると共に、一組の係止爪片７，８によって横架部２０を幅方向に挾めるように形成したので、ハンガーＢの横架部２０に、挾持具Ａを着脱自在に装着せしめられると共に、挾持具Ａを横架部２０の任意の位置に装着でき、ズボンやスカート等の被挾持物を簡単に挾圧支持できるようになる。
【００２４】
特に、一対の挾持板１の基端縁部分にハンガーＢの横架部２０に係止される一組の係止爪片７，８を延設したので、ハンガーＢの横架部２０への装着が簡単となり、加えて、挾持具Ａを横架部２０に装着していても、横架部２０にズボンや、スカート等の被掛止物を掛止できるものとなる。
加えて、揺動レバーＡ２の揺動操作だけで、一対の挾持板１の先端縁部分で挾持状態（或いは、開放状態）が得られるようになると共に、一組の係止爪片７，８によって横架部２０を幅方向に挾めるよう（或いは、非挾持状態）になり、横架部２０への取付け位置の変更も簡単に行え、横架部２０への取付け状態が安定的となると共に、この安定状態を確実に維持できるようになる。すなわち、不意の外力等が挾持具Ａに加えられても、その取付け位置が移動してしまったりする等の虞れのないものとなる。しかして、操作が容易で、取扱い易く、構成簡素で、確実な動作が期待でき、最適なハンガー用挾持具Ａとなる。
【００２５】
しかも、挾持具本体Ａ１と揺動レバーＡ２を適宜合成樹脂製としたので、その製造が簡単となると共に、量産に適し、比較的低廉に提供できるようになり、その処分も簡単となる。更に、挾持具Ａ自体に金属材料が使用されていないため、例えば、検針器等を通過させることができ、検査（検針）用としても利用できるハンガー用挾持具Ａとなる。
【００２６】
また、請求項２記載のハンガー用挾持具Ａは、開閉規制部１０の外周面部分に圧迫隆起部１２を形成し、揺動レバーＡ２の倒伏揺動操作により、圧迫隆起部１２で横架部２０を圧迫できるよう構成したので、揺動レバーＡ２を倒伏揺動せしめたときに、横架部２０下面部分を強力に圧迫できるようになり、圧迫隆起部１２と一組の係止爪片７，８とで、横架部２０を上下方向で圧迫し、挾持具Ａが横架部２０に確実に装着されて、不意の外力等によって簡単に移動しないようになる。
【００２７】
更に、請求項３記載のハンガー用挾持具Ａは、開閉規制部１０の外周面部分に係止隆起部１３を形成し、揺動レバーＡ２の倒伏揺動操作により、係止隆起部１３が横架部２０に係止されるよう構成したので、揺動レバーＡ２を倒伏揺動せしめたときに、横架部２０の幅方向の下面端縁部分に夫々係止できるようになり、一対の係止隆起部１３と一組の係止爪片７，８とで、横架部２０を上下方向で圧迫すると共に、一対の係止隆起部１３が横架部２０の幅方向に於いて係止されて、挾持具Ａの横架部２０への装着状態を確実に維持して、挾持具Ａが不意の外力等によって簡単に移動せず、且つ揺動レバーＡ２が不意の外力等によって簡単に揺動しないようになる。
【図面の簡単な説明】
【図１】本発明のハンガー用挾持具の使用例を示す分解斜視図である。
【図２】本発明のハンガー用挾持具を例示する分解斜視図である。
【図３】本発明のハンガー用挾持具を例示する側面図である。
【図４】本発明のハンガー用挾持具を例示する側面図である。
【図５】本発明のハンガー用挾持具を例示する部分側断面図である。
【図６】本発明の他のハンガー用挾持具を例示する部分側断面図である。
【符号の説明】
Ａ      挾持具
Ａ１    挾持具本体                    Ａ２    揺動レバー
１      挾持板                        ２      連結片
３      係止凸部                      ４      係止凹部
５      規制突起                      ６      規制突起
７      係止爪片                      ８      係止爪片
９      係止小突起
１０    開閉規制部                    １１    規制凹部
１１ａ  規制内周壁面                  １１ｂ  ストッパー
１２    圧迫隆起部                    １３    係止隆起部
１４    操作部
Ｂ      ハンガー
２０    横架部                        ２１    係止溝
２２    切欠部                        ２３    係止小突部
【図１】
0004324930.tif 000002
【図２】
0004324930.tif 000003
【図３】
0004324930.tif 000004
【図４】
0004324930.tif 000005
【図５】
0004324930.tif 000006
【図６】
0004324930.tif 000007